(57)【要約】【目的】ＩＰ電話を用いた迷惑電話を防止することのできるＩＰ電話中継方法及び装置を提供する。【構成】ＩＰ電話網とＩＰ電話機との間で呼制御パケット及び音声パケットを中継するＩＰ電話中継方法及び装置であり、少なくとも１つの忌避発信元アドレスを保持し、該ＩＰ電話網から呼制御パケットが到来する度に、当該呼制御パケットの発信元アドレスと該忌避発信元アドレスの全てとを比較し、該発信元アドレスが該忌避発信元アドレスの何れか１と一致する場合に、当該呼制御パケットを破棄する。【選択図】図３
2007221622.tif 000002
【特許請求の範囲】
【請求項１】
ＩＰ電話網とＩＰ電話機との間で呼制御パケット及び音声パケットを中継するＩＰ電話中継方法であって、
少なくとも１つの忌避発信元アドレスを保持するアドレス保持ステップと、
前記ＩＰ電話網から呼制御パケットが到来する度に、当該呼制御パケットの発信元アドレスと前記忌避発信元アドレスの全てとを比較するアドレス比較ステップと、
前記発信元アドレスが前記忌避発信元アドレスの何れか１と一致する場合に、当該呼制御パケットを破棄する呼制御パケット破棄ステップと、
を含むことを特徴とするＩＰ電話中継方法。
【請求項２】
前記アドレス保持ステップは、前記ＩＰ電話機からの指令に応じて、前記忌避発信元アドレスを設定または変更するステップを含むことを特徴とする請求項１記載のＩＰ電話中継方法。
【請求項３】
前記呼制御パケット破棄ステップは、前記ＩＰ電話網と前記ＩＰ電話機との間に形成されるパケット経路を遮断するステップを含むことを特徴とする請求項１記載のＩＰ電話中継方法。
【請求項４】
ＩＰ電話網とＩＰ電話機との間で呼制御パケット及び音声パケットを中継するＩＰ電話中継装置であって、
少なくとも１つの忌避発信元アドレスを保持するアドレス保持手段と、
前記ＩＰ電話網から呼制御パケットが到来する度に、当該呼制御パケットの発信元アドレスと前記忌避発信元アドレスの全てとを比較するアドレス比較手段と、
前記発信元アドレスが前記忌避発信元アドレスの何れか１と一致する場合に、当該呼制御パケットを破棄する呼制御パケット破棄手段と、
を含むことを特徴とするＩＰ電話中継装置。
【請求項５】
前記アドレス保持手段は、前記ＩＰ電話機からの指令に応じて、前記忌避発信元アドレスを設定または変更する手段を含むことを特徴とする請求項４記載のＩＰ電話中継装置。
【請求項６】
前記呼制御パケット破棄手段は、前記ＩＰ電話網と前記ＩＰ電話機との間に形成されるパケット経路を遮断する手段を含むことを特徴とする請求項４記載のＩＰ電話中継装置。
【発明の詳細な説明】
【技術分野】
【０００１】
本発明は、ＩＰ電話網とＩＰ電話機との間にあって電話通信のための音声パケットを中継するＩＰ電話中継方法及び装置に関し、特に、スパム電話とも称される迷惑電話を防止するＩＰ電話中継方法及び装置に関する。
【背景技術】
【０００２】
ＶｏＩＰ技術を用いたＩＰ電話の普及により通信料金の低価格化が進み、ＩＰ電話のビジネスでの活用も飛躍的に多くなってきている。それに伴い迷惑電話、すなわち、不特定多数のＩＰ電話に向けて無作為に電話をかけて予め録音されている音声の宣伝文句を一方的に流す迷惑電話の問題が顕在化しており、その対策が急がれている。
【０００３】
迷惑電話に類似するものとして迷惑電子メールの問題がある。かかる問題に対する方策としては、「迷惑電子メールを検出するシステム及び方法」と題される特許文献１に開示される技術がある。かかる技術は、チャレンジ（忌避）を使用することで迷惑電子メールメッセージの検出を容易できるとしている。
【特許文献１】特開２００４−０３０６３９号公報
【発明の開示】
【発明が解決しようとする課題】
【０００４】
しかし、かかる従来の技術では、電子メールを対象としているものであって、ＩＰ電話利用における迷惑電話の問題については何ら考慮されていなかった。
【０００５】
本発明の目的は、ＩＰ電話を用いた迷惑電話を防止することのできるＩＰ電話中継方法及び装置を提供することである。
【課題を解決するための手段】
【０００６】
本発明によるＩＰ電話中継方法は、ＩＰ電話網とＩＰ電話機との間で呼制御パケット及び音声パケットを中継するＩＰ電話中継方法であり、少なくとも１つの忌避発信元アドレスを保持するアドレス保持ステップと、該ＩＰ電話網から呼制御パケットが到来する度に、当該呼制御パケットの発信元アドレスと該忌避発信元アドレスの全てとを比較するアドレス比較ステップと、該発信元アドレスが該忌避発信元アドレスの何れか１と一致する場合に、当該呼制御パケットを破棄する呼制御パケット破棄ステップとを含むことを特徴とする。
【０００７】
本発明によるＩＰ電話中継装置は、ＩＰ電話網とＩＰ電話機との間で呼制御パケット及び音声パケットを中継するＩＰ電話中継装置であり、少なくとも１つの忌避発信元アドレスを保持するアドレス保持手段と、該ＩＰ電話網から呼制御パケットが到来する度に、当該呼制御パケットの発信元アドレスと該忌避発信元アドレスの全てとを比較するアドレス比較手段と、該発信元アドレスが該忌避発信元アドレスの何れか１と一致する場合に、当該呼制御パケットを破棄する呼制御パケット破棄手段とを含むことを特徴とする。
【発明の効果】
【０００８】
本発明によるＩＰ電話中継方法及び装置によれば、忌避したい発信元アドレスの呼制御パケットが破棄されることで、かかる発信元から着信を阻止する構成が与えられる。これにより、ＩＰ電話を用いた迷惑電話を防止することができる。
【発明を実施するための最良の形態】
【０００９】
本発明の実施例について添付の図面を参照しつつ詳細に説明する。
【００１０】
図１は、本発明の実施例を示し、ＩＰ電話中継装置を含む全体の構成を示している。ここで、ＩＰ電話機３がＩＰ電話中継装置１を介してＩＰ電話網１に接続されている。ＩＰ電話機３は、ＶｏＩＰ（Voice over IP）技術を用いた電話機能を奏する電話機であり、ＩＰ電話網１に繋がる不特定多数の電話機に向けて発信またはこれらからの着信を受けて通話が可能な電話機である。本実施例では、ＩＰ電話機３とＩＰ電話中継装置１との接続方法は、有線を介して接続形態を前提として説明されるが無線を介した形態とすることも可能であり、ＩＰ電話機３は無線ＩＰ電話機であっても良い。
【００１１】
ＩＰ電話網１は、ＶｏＩＰ技術を用いたＩＰ電話サービスを提供するネットワークであり、例えば、企業内に設けられる電話網である。ＩＰ電話網１におけるプロトコルとしては、ＳＩＰ（Session Initiation Protocol）プロトコルが用いられる。ＳＩＰプロトコルは、呼制御、すなわち、ＩＰ電話機３の如きＩＰ端末間に接続を確立するためのプロトコルである。一旦、ＩＰ端末間に呼制御が確立された後は、ＲＴＰ（Realtime Transfer Protocol）の如きデータ転送プロトコルを用いた音声パケットの交換がなされて通話が実現される。
【００１２】
ＩＰ電話中継装置１は、本発明によるＩＰ電話中継方法を実行する装置であり、迷惑電話防止を実現する。ＩＰ電話中継装置２は、パケット中継部２１と、迷惑電話判別部２２と、迷惑アドレスデータベース（ＤＢ）２３と、ＩＰパケット経路開閉部２４と、迷惑アドレス設定部２５とを含む。
【００１３】
パケット中継部２１は、ＩＰ電話網１と接続され、ＩＰ電話網１から入力されるＩＰパケットを取り込み、これをパケット経路開閉部２４に供給する機能を備えると共に、ＩＰパケットのうちから呼制御パケットであるＳＩＰパケットを抽出し、該ＳＩＰパケット内のFromヘッダから発信元アドレスをさらに抽出して、これを迷惑電話判別部２２に供給する機能を備える。ＩＰ電話器３から供給されるＩＰパケットは、そのままＩＰ電話網１に中継される。
【００１４】
迷惑電話判別部２２は、パケット中継部２１からの発信元アドレスと、迷惑アドレスデータベース２３に格納されている迷惑アドレスとの比較を行い、比較が一致した場合にパケット経路開閉部２４に向けて開放命令を供給する機能を備える。
【００１５】
パケット経路開閉部２４は、ＩＰパケットを転送するパケット経路を開放状態または閉状態の何れかに設定する機能を備える。該パケット経路は、通常では閉状態にあってＩＰパケットの転送がなされるが、パケット中継部２１から供給される開放命令に応じて開放状態になされてＩＰパケットの転送が遮断される。これにより、迷惑アドレスに該当すると判別された発信元アドレスを含むＳＩＰパケットの中継が遮断され、ＩＰ電話網１からＩＰ電話機３に向けた着信が抑止される。
【００１６】
迷惑アドレス設定部２５は、ＩＰ電話機３からの指令に応じて、迷惑アドレスデータベース２３に保持される迷惑アドレスを設定または変更する機能を備える。設定及び変更の方法としては、ＩＰ電話機３における英数字ボタンの入力内容に従って迷惑アドレスデータベース２３の内容を書き換える方法や、ＩＰ電話機３が現在時点で呼接続している相手先を、簡単な操作（例えば、♯釦を押す）により、該相手先のアドレスを迷惑アドレスとして設定する方法が考えられる。
【００１７】
図２は、図１に示した迷惑アドレスデータベースの設定例を示している。迷惑アドレスデータベース２３は、Ｎ個（Ｎは正数）の項番の各々に対応して迷惑メールを発信していると認められた発信元の発信元アドレスの各々が迷惑アドレスとして予めから設定される。例えば、項番“１”に対応する発信元アドレスは“Ｓｉｐ：ｕｓｅｒＡ＠〇〇〇．〇〇〇”と設定される。
【００１８】
迷惑アドレスは、忌避発信元アドレスである。その選定は、迷惑電話の発信者のものと知られている発信元アドレスや過去の被害実績から推認される発信元アドレスから選択することが想定される。また、迷惑アドレスは、単にスパム電話の如き宣伝勧誘を行う業者の電話のみならず、利用者にとって忌避したい人や企業からの電話のアドレスとすることもできる。
【００１９】
図３は、ＳＩＰパケットにおける発信元アドレスの記述例を示している。ここで、ＩＰパケット３０はＳＩＰパケット３１を含み、さらに、ＳＩＰパケット３１はＳＩＰデータ部３２を含んでいる。ＳＩＰデータ部３２には、呼制御のための様々の情報がテキスト形式で記述される。本図の例では、通話セッション確立、すなわち呼接続確立のために交換されるＩＮＶＩＴＥメッセージの記述例が示されている。該ＩＮＶＩＴＥメッセージには、着信先の発信元アドレスが設定されていると共に、Ｆｒｏｍ項３３には“Ｆｒｏｍ：  ＵｓｅｒＢ  ＜ｓｉｐ：ＵｓｅｒＢ＠１ｘｘ．１ｘｘ．１ｘ．２ｘ＞；  ｔａｇ＝．．．．”の如く発信元の発信元アドレス３４が記述されている。
【００２０】
図４は、本発明によるＩＰ電話中継方法の処理手順を示している。
【００２１】
先ず、パケット中継部２１は、定常的にＩＰパケットの中継動作を行っている（ステップＳ１）。かかる中継動作に並行して、パケット中継部２１は、中継するＩＰパケットがＳＩＰパケットであるか否かを判定し（ステップＳ２）、ＳＩＰパケットを抽出する。もしＳＩＰパケットである場合には、当該ＳＩＰパケットのFrom項より発信元アドレスを抽出する（ステップＳ３）。次いで、パケット中継部２１は、該発信元アドレスを迷惑電話判別部２４に出力する（ステップＳ４）。
【００２２】
迷惑電話判別部２２は、該発信元アドレスを取り込み（ステップＳ５）、次いで、迷惑電話判別部２２は、該発信元アドレスとアドレスデータベース（ＤＢ）内の少なくとも１つの迷惑アドレスと比較し（ステップＳ６）、一致する迷惑アドレスがあるか否かを判定する（ステップＳ７）。もし、一致する迷惑アドレスがある場合には、迷惑電話判別部２２はＩＰパケット経路開閉部２４に向けて開放命令を出力する（ステップＳ８）。例えば、ＳＩＰパケットヘッダのＦｒｏｍ項から抽出された発信元アドレスが“ｕｓｅｒＣ@△△△．△△△”の場合は、迷惑アドレスデータベース内の項番“３”に対応する迷惑アドレスと一致すると判定され（図２参照）、迷惑電話判別部２２からパケット経路開閉部２４に向けて開放命令が出力される。
【００２３】
パケット経路開閉部２４は、迷惑電話判別部２２からの開放命令を取り込み（ステップＳ９）、ＩＰパケットの中継のためパケット経路を、開放すなわち遮断する（ステップＳ１０）。この時、ＩＰ電話網１とＩＰ電話機３との間のパケット経路が分断されるため、発信や着信制御を担うＳＩＰパケットの交換が遮断されて当該ＳＩＰパケットが破棄される。結果的に迷惑電話と想定される着信が阻止される。
【００２４】
尚、以上の実施例においては、迷惑アドレスに該当する発信元アドレスを含む呼制御パケット（ＳＩＰパケット）の中継を遮断する構成が示されたが、かかる呼制御パケットを破棄することによっても同様の作用を得ることができる。また、以上の実施例においては、ＩＰ電話中継装置はＩＰ電話機とは別装置とする形態が示されたが、本発明はかかる形態に限られず、ＩＰ電話中継装置がＩＰ電話機に内蔵される形態とすることも可能である。
【産業上の利用可能性】
【００２５】
本発明によるＩＰ電話中継方法及び装置は、迷惑電話に係るＳＩＰパケットを破棄するのみならず、迷惑電話以外の特定の発信元を忌避する目的のためにも適用され得る。
【図面の簡単な説明】
【００２６】
【図１】本発明の実施例を示し、ＩＰ電話中継装置を含む全体の構成を示すブロック図である。
【図２】図１に示した迷惑アドレスデータベースの設定例を示すブロック図である。
【図３】ＳＩＰパケットにおける発信元アドレスの記述例を示しているフォーマット図である。
【図４】本発明によるＩＰ電話中継方法の処理手順を示すシーケンス図である。
【符号の説明】
【００２７】
１  ＩＰ電話網
２  ＩＰ電話中継装置
３  ＩＰ電話機
２１  パケット中継部
２２  迷惑電話判別部
２３  迷惑アドレスデータベース（ＤＢ）
２４  ＩＰパケット経路開閉部
２５  迷惑アドレス設定部
３０  ＩＰパケット
３１  ＳＩＰパケット
３２  ＳＩＰデータ
３３  発信元アドレス
【図１】
2007221622.tif 000003
【図２】
2007221622.tif 000004
【図３】
2007221622.tif 000005
【図４】
2007221622.tif 000006